(57)【要約】【課題】  １枚のシートから複数の同一形状の短冊を作成する場合に、ＩＣタグ付きの短冊の作成を容易に行う。【解決手段】  １枚のシートから複数の同一形状の短冊１３を作成するためのシート１１において、短冊１３の横方向の１辺の長さ以下の間隔でシート１１の横方向にＩＣタグ１２を設けるとともに、短冊１３の縦方向の１辺の長さ以下の間隔でシート１１の縦方向にＩＣタグ１２を設けたことを特徴とするＩＣタグ付きシート１０を提供する。上記のＩＣタグ付きシート１０を所定の大きさの短冊１３に切断することによって、複数枚のＩＣタグ付き短冊が作成される。【選択図】      図１
2006082438.tif 000002
【特許請求の範囲】
【請求項１】
１枚のシートから複数の同一形状の短冊を作成するためのシートにおいて、
前記短冊の横方向の１辺の長さ以下の間隔で前記シートの横方向（または縦方向）にＩＣタグを設けるとともに、
前記短冊の縦方向の１辺の長さ以下の間隔で前記シートの縦方向（または横方向）にＩＣタグを設けた
ことを特徴とするＩＣタグ付きシート。
【請求項２】
前記短冊の横方向の１辺の長さの２分の１以下の間隔で前記シートの横方向（または縦方向）にＩＣタグを設けたことを特徴とする請求項１に記載のＩＣタグ付きシート。
【請求項３】
前記短冊の縦方向の１辺の長さの２分の１以下の間隔で前記シートの縦方向（または横方向）にＩＣタグを設けたことを特徴とする請求項１に記載のＩＣタグ付きシート。
【発明の詳細な説明】
【技術分野】
【０００１】
本発明は、ＩＣタグが付されたシート状記録媒体に関する。
【背景技術】
【０００２】
名刺に取り付けられたＩＣタグに名刺の記載内容等のデータを記憶させることによって、可視情報だけでなく様々な情報を電子データで受け渡すことのできる技術が提案されている。例えば、特許文献１に記載の技術では、名刺に取り付けられたＩＣタグに電話番号、ファクシミリ番号、電子メールアドレスなどのデータが書き込まれており、このＩＣタグに書き込まれている電話番号などのデータをタグリーダを用いて読み取ることができるようになっている。このタグリーダは電話機等に接続されており、タグリーダで読み取られた電話番号を電話機に送信することによって、電話機に宛先の電話番号が入力されるようになっている。これによって、ユーザが電話番号などをを入力する手間が省け、また、データの正確な入力が可能になる。
【特許文献１】特開２００２−１８３６９３号公報
【発明の開示】
【発明が解決しようとする課題】
【０００３】
しかしながら、上記の従来技術には以下のような問題点がある。このようなＩＣタグ付きの名刺を作成する場合、可視情報を印刷した名刺を作成するとともに、名刺に１つずつＩＣタグを貼り付ける作業が必要となり、非常に手間がかかる。この問題は、名刺の場合のみならず、葉書など、比較的小さなサイズのシート状記録媒体にＩＣタグを取り付けたものを多数作成する際に共通する問題である。
本発明は、上述した背景の下になされたものであり、１枚のシートから複数の同一形状の短冊を作成する場合に、ＩＣタグ付きの短冊を容易に作成することのできる技術の提供を目的とする。
【課題を解決するための手段】
【０００４】
上述の課題を解決するために、本発明は、１枚のシートから複数の同一形状の短冊を作成するためのシートにおいて、前記短冊の横方向の１辺の長さ以下の間隔で前記シートの横方向にＩＣタグを設けるとともに、前記短冊の縦方向の１辺の長さ以下の間隔で前記シートの縦方向にＩＣタグを設けたことを特徴とするＩＣタグ付きシートを提供する。
上記のＩＣタグ付きシートを所定の大きさの短冊に切断することによって、複数枚のＩＣタグ付き短冊が作成される。
前記短冊の横方向の１辺の長さの２分の１以下の間隔で前記シートの横方向（または縦方向）にＩＣタグを設けることが好ましい。
また、前記短冊の縦方向の１辺の長さの２分の１以下の間隔で前記シートの縦方向（または横方向）にＩＣタグを設けることも好ましい。
【発明の効果】
【０００５】
本発明によれば、１枚のシートから複数の同一形状の短冊を作成する場合に、ＩＣタグ付きの短冊を容易に作成することができる。
【発明を実施するための最良の形態】
【０００６】
以下、図面を参照して、本発明の実施形態について説明する。
＜構成＞
図１は、本発明の実施形態におけるＩＣタグ付きシート１０の構成を示す図である。シート１１の用途は、例えば、名刺、葉書、切手などである。また、裏面に粘着材が塗布されている記名用のラベルなどでもよい。すなわち、比較的小さなサイズのシート状記録媒体であり、１枚のシートを分割することによって同一形状の短冊を複数作成する場合がこれに相当する。以下の説明においては、名刺の例を用いて説明する。
シート１１の材質は、紙、プラスティックフィルムなどいかなるものでもよい。シート１１のサイズは、例えばＪＩＳ（日本工業規格）で定められたＡ４、Ａ３、Ｂ５、Ｂ４など、通常、画像形成装置による画像形成に用いられるサイズであるが、規格外のサイズであってもよい。
【０００７】
ＩＣタグ１２は、外部装置との間で非接触式にて電子データの授受を行う、いわゆる無線ＩＣタグである。ＩＣタグ１２は、電子データの書き込み／読み出しが可能な不揮発性の半導体メモリ、コイル状のアンテナ等からなり、外部の機器との間でマイクロ波、誘導電磁界等を用いて通信を行うことができる。ＩＣタグ１２に書き込まれる電子データの内容は、名刺の表面あるいは裏面に形成される可視情報と同様の内容、例えば、会社名、所属部署名、氏名、所在地、電話番号、ファクシミリ番号、電子メールアドレスなどである。これらの電子データは、タグライタによってＩＣタグ１２に書き込まれる。可視情報は公知の画像形成装置を用いてシート１１の表面または裏面に画像形成される。この画像形成装置内部にタグライタを設け、画像形成の過程の前または後、あるいは、画像形成と同時にこのタグライタによってＩＣタグ１２に電子データを書き込むようにしてもよい。
【０００８】
次に、ＩＣタグ１２の取り付け位置について説明する。本実施形態では、シート１１を名刺大に切断した際に、名刺（短冊）１３の各々に１つ以上のＩＣタグ１２が設けられているように取り付けられている。同図においては、名刺１３の各々に１つのＩＣタグ１２が設けられている例を示している。名刺の横方向の辺の長さと同一の間隔でシート１１の横方向（または縦方向）にＩＣタグ１２を配置し、名刺の縦方向の１辺の長さと同一の間隔でシート１１の縦方向（または横方向）にＩＣタグ１２を配置する。
このようにすれば、名刺の各々の常に同一の位置にＩＣタグ１２が設けられることになるから、ＩＣタグ１２の取り外しなどの際に便利である。ただし、名刺１枚につき１個以上のＩＣタグ１２が設けられていれば十分であり、そのためには、名刺の辺の長さ以下の間隔でＩＣタグ１２を設けておけばよい。名刺１３の各々に１つ以上のＩＣタグ１２が設けられるためには、名刺の横方向の辺の長さ以下の間隔でシート１１の横方向（または縦方向）にＩＣタグ１２を配置するか、または、名刺の縦方向の１辺の長さ以下の間隔でシート１１の縦方向（または横方向）にＩＣタグ１２を配置するようにすればよい。
【０００９】
また、図２に示すように、名刺１３の各々に２つ以上のＩＣタグ１２が設けられているようになっていてもよい。すなわち、名刺の横方向の辺の長さの２分の１以下の間隔でシート１１の横方向（または縦方向）にＩＣタグ１２を設ければよい。または。名刺の縦方向の辺の長さの２分の１以下の間隔でシート１１の縦方向（または横方向）にＩＣタグ１２を設ければよい。このようにすれば、名刺１３の各々に２つ以上のＩＣタグ１２が設けられることになるから、仮に１個のＩＣタグが破損した場合でも、別のＩＣタグが使用可能であるから、１枚の名刺にデータを確実に保持させることができる。
ＩＣタグ１２をシート１１に取り付ける方法は任意である。裏面に粘着材が塗布されたＩＣタグ１２をシート１１に貼り付けてもよいし、シート１１が紙の場合、紙の製造時に紙の繊維の間隙にごま粒大のＩＣタグ１２を漉き込むようにしてもよい。
【００１０】
上記のようにして作成されたＩＣタグ付きシート１０を名刺大に切断することによって、ＩＣタグ付き名刺を容易に作成することができる。また、名刺の画像形成と同時に電子データをＩＣタグ１２に書き込むことができる。
上記のＩＣタグ付きシート１０を葉書、切手類等に適用することも可能である。葉書、切手に取り付けられたＩＣタグ１２に額面の金額および発行元などを表す電子データを書き込んでおけば、偽造防止に役立つ。
【００１１】
以上説明したように、本発明によれば、ＩＣタグ付きシートを短冊の大きさに切断することによってＩＣタグ付きの短冊を作成することができるから、１枚のシートから複数の同一形状の短冊を作成する場合に、ＩＣタグ付きの短冊を容易に作成することができる。また、ＩＣタグ付きシートに取り付けられている複数のＩＣタグに同時に電子データを書き込むことができるから、電子データを埋め込んだＩＣタグ付き短冊を多数作成することが容易になる。
【００１２】
＜変形例＞
以上説明した形態に限らず、本発明は種々の形態で実施可能である。例えば、上述の実施形態を以下のように変形した形態でも実施可能である。
ＩＣタグ１２は名刺１３のいずれの部位に取り付けても構わないが、通常、印刷がなされる部分を避けて、名刺の四隅のいずれか、あるいは、名刺の裏面に設けることが好ましい。四隅のいずれかにＩＣタグ１２を設けるようにすれば、名刺１３の破棄やリサイクルの際に、名刺１３の四隅をハサミ等で切り落とすことにより、ＩＣタグ１２を容易に取り外すことができる。
上記の実施形態においては、非接触式のＩＣタグを用いた例を示したが、接触式のＩＣタグを用いてもよい。
【図面の簡単な説明】
【００１３】
【図１】ＩＣタグ付きシート１０の構成を示す図である。
【図２】ＩＣタグ付きシート１０の構成を示す図である。
【符号の説明】
【００１４】
１０…ＩＣタグ付きシート、１１…シート、１２…ＩＣタグ、１３…名刺（短冊）。
【図１】
2006082438.tif 000003
【図２】
2006082438.tif 000004